(57)【要約】【課題】低音を良好に出力できる小型のパッシブラジェータ方式のスピーカ装置を提供する。【解決手段】スピーカ装置１００では、振動板１２０、ジャバラ１３０、及び貼り付け板１５０がパッシブラジェータである。スピーカボックス１４０は、スピーカ１１０が取り付けられている面と反対の面が開口されている。振動板１２０は、スピーカ１１０の背面からの音圧により振動する。振動板１２０には、ジャバラ１３０が取り付けられている。ジャバラ１３０は、振動板１２０を保持しながらスピーカの背面からの音圧により伸縮する。ジャバラ１３０においては、振動板１２０が取り付けられている縁と反対の縁が、スピーカボックス１４０が開口されている面の縁に固定される。貼り付け板１５０は、スピーカ１１０の特性により振動板１２０の負荷（重量）を調整するものである。ジャバラ１３０の伸縮可能な範囲が、振動板１２０のストロークとなる。【選択図】図１
2012239154.tif 000002
【特許請求の範囲】
【請求項１】
パッシブラジェータ方式のスピーカ装置において、
パッシブラジェータは
一端がスピーカボックスに取り付けられた柱状体と、
該柱状体の他端に取り付けられた振動板と
を備え、
前記柱状体は、前記振動板の面外方向に伸縮可能であることを特徴とするスピーカ装置。
【請求項２】
前記振動板は、前記スピーカに対向する位置に存することを特徴とする請求項１に記載のスピーカ装置。
【請求項３】
前記振動板は、一対であり且つ対向する位置に存することを特徴とする請求項１に記載のスピーカ装置。
【請求項４】
前記柱状体は、前記スピーカボックスの内部に凹状に設けられていることを特徴とする請求項１から請求項３のいずれか１項に記載のスピーカ装置。
【請求項５】
前記スピーカボックス及び前記柱状体は円筒状をなし、互いに螺合されて固定されることを特徴とする請求項１から請求項４のいずれか１項に記載のスピーカ装置。
【請求項６】
前記柱状体は、伸縮が規制される伸縮固定具を備えたことを特徴とする請求項１から請求項５のいずれか１項に記載のスピーカ装置。
【請求項７】
前記柱状体は、ジャバラ構造とすることを特徴とする請求項１から請求項６のいずれか１項に記載のスピーカ装置。
【請求項８】
前記振動板は、重りを備えることを特徴とする請求項１から請求項７のいずれか1項に記載のスピーカ装置。
【請求項９】
パッシブラジェータ方式のスピーカ装置を備えたテレビジョン受信機において、
パッシブラジエータは
一端がスピーカボックスに取り付けられた柱状体と、
該柱状体の他端に取り付けられた振動板と
を有し、
前記柱状体は、前記振動板の面外方向に伸縮可能であることを特徴とするスピーカ装置を備えたテレビジョン受信機。
【発明の詳細な説明】
【技術分野】
【０００１】
本発明は、パッシブラジェータ方式のスピーカ装置に関する。
【背景技術】
【０００２】
オーディオ機器の小型化、テレビの薄型化に伴い、スピーカ装置も小型化されている。これに伴い小型化されたスピーカ装置には、小型でも比較的低音も出力しやすいパッシブラジェータ方式のスピーカ装置が広く用いられている。このパッシブラジェータ方式は、スピーカの背面の音圧を利用して振動板を振動させるので、低音成分をバスレフ方式のように細いダクトから放出するのではなく、比較的大きな面積の振動板が低音を放射するため、音の質が優れている。また、ダクトからは空気の流れがいわゆる風切り音として認知されやすい。パッシブラジェータ方式では振動板の重量を変えることで容易に共振周波数の調整が可能である。このようなメリットがあるためパッシブラジェータ方式のスピーカ装置が広く用いられるようになった。図１２を用いて、従来のスピーカ装置５００の構造を説明する。従来のスピーカ装置５００の振動板５２０、エッジ５３０、及びフレーム５４０がパッシブラジェータとなる。スピーカボックス５５０は、スピーカ５１０が取り付けられている面と反対の面が開口されている。振動板５２０は、スピーカ５１０の背面からの音圧により振動する。振動板５２０の周囲には、ゴム製のエッジ５３０が取り付けられている。振動板５２０が取り付けられている縁と反対のエッジ５３０の縁が、フレーム５４０で固定される。フレーム５４０においては、エッジ５３０が固定されている縁と反対の縁が、スピーカボックス５５０が開口されている面の縁に固定される。従来のスピーカ装置５００では、エッジ５３０が伸縮可能な範囲しか振動板５２０は振動できない。つまり、エッジ５３０の伸縮幅が、振動板５２０の振動幅（以下、ストロークという）に対応する。
【０００３】
このような構造のスピーカ装置５００において、振動板５２０に不要な振動が発生すると、低音を良好に出力することができない。このため、振動板５２０の不要な振動を抑えることが必要である。振動板５２０の不要な振動を抑えるには、振動板５２０の面積を大きくする必要がある。しかし、小型のスピーカ装置５００では、振動板５２０の面積を大きくすることができない。また、低音を良好に出力するためには、振動板５２０のストロークを十分大きくする必要がある。しかし、振動板５２０のストロークは、エッジ５３０の伸縮可能な範囲に制限されるため、振動板５２０のストロークを十分大きくすることができない。また、スピーカ装置５００に大きな振幅の信号が入力されると、エッジ５３０が延びきってつっぱることで音がひずんで聞こえるという問題があった。
【０００４】
不要な振動を抑えるスピーカ装置の技術として特開２００９−２８４１５７号公報（特許文献１）を挙げることができる。特許文献１に開示の技術では、２つのスピーカユニットのキャビネットに、対向する一対のパッシブラジエータを各々設置し、スピーカユニット設置面とこの対向する一対のパッシブラジエータ設置面などの面により閉じられた空間を形成することで、２つのスピーカユニットのキャビネットにおいて不要な振動の発生を抑制できるスピーカ装置を提供している。
【先行技術文献】
【特許文献】
【０００５】
【特許文献１】特開２００９−２８４１５７号公報
【発明の概要】
【発明が解決しようとする課題】
【０００６】
上記のように、特許文献１に開示の技術におけるスピーカ装置は、スピーカユニット設置面と対向する一対のパッシブラジエータ設置面などの面により閉じられた空間を形成することで、２つのスピーカユニットのキャビネットにおいて不要な振動の発生を抑制している。しかし、スピーカ装置を更に小型化したり、低音特性を改善しようとする場合、パッシブラジエータの振動板面積を大きく出来ない条件のもとでは、従来のパッシブラジエータではストロークが不足して異音が発生しやすくなる。
【０００７】
本発明はこのような状況に鑑みてなされたものであり、上記課題を解決できる技術を提供することを目的とする。
【課題を解決するための手段】
【０００８】
本発明のスピーカ装置は、パッシブラジェータ方式のスピーカ装置において、パッシブラジエーターは一端がスピーカボックスに取り付けられた柱状体と、該柱状体の他端に取り付けられた振動板とを備え、前記柱状体は、前記振動板の面外方向に伸縮可能である。
本発明のスピーカ装置の前記振動板は、前記スピーカに対向する位置に存していてもよい。
本発明のスピーカ装置の前記振動板は、一対であり且つ対向する位置に存していてもよい。
また、本発明のスピーカ装置の前記柱状体は、前記スピーカボックスの内部に凹状に設けられていてもよい。
また、本発明のスピーカ装置の前記スピーカボックス及び前記柱状体は円筒状をなし、互いに螺合されて固定されていてもよい。
また、本発明のスピーカ装置の前記柱状体は、伸縮が規制される伸縮固定具を備えていてもよい。
また、本発明のスピーカ装置の前記柱状体は、ジャバラ構造としてもよい。
また、本発明のスピーカ装置の前記振動板は、重りを備えていてもよい。
また、本発明のテレビジョン受信機は、パッシブラジェータ方式のスピーカ装置を備えたテレビジョン受信機において、パッシブラジエータは一端がスピーカボックスに取り付けられた柱状体と、該柱状体の他端に取り付けられた振動板とを有し、前記柱状体は、前記振動板の面外方向に伸縮可能である。
【発明の効果】
【０００９】
本発明によれば、振動板のストロークを十分確保することで低音を良好に出力することができるスピーカ装置を提供する。
【図面の簡単な説明】
【００１０】
【図１】本発明の第１の実施形態に係るスピーカ装置の断面を示す図である。
【図２】本発明の第１の実施形態に係るジャバラとスピーカボックスの結合構造を示す図である。
【図３】本発明の第１の実施形態に係るスピーカ装置をＴＶ（テレビジョン）に取り付ける例を示す図である。
【図４】本発明の第２の実施形態に係るスピーカ装置の断面を示す図である。
【図５】本発明の第２の実施形態の変形例１に係るスピーカ装置の断面を示す図である。
【図６】本発明の第２の実施形態に係るスピーカ装置及びその変形例１をＴＶ（テレビジョン）に取り付ける例を示す図である。
【図７】本発明の第２の実施形態の変形例２に係るスピーカ装置の断面を示す図である。
【図８】本発明の第２の実施形態の変形例３に係るスピーカ装置の断面を示す図である。
【図９】本発明の第２の実施形態の変形例４に係るスピーカ装置の断面を示す図である。
【図１０】本発明の第２の実施形態に係るスピーカ装置の変形例４をＴＶ（テレビジョン）に取り付ける例を示す図である。
【図１１】本発明の第３の実施形態に係るジャバラのストロークの可動範囲を変更する方法を示す図である。
【図１２】従来技術に係るスピーカ装置の断面を示す図である。
【発明を実施するための形態】
【００１１】
以下、本発明を実施するための第１の実施形態（以下、「実施形態１」という）を、図面を参照して説明する。
【００１２】
実施形態１におけるスピーカ装置１００の構造について説明する。図１に、スピーカ装置１００の断面を示す。スピーカ装置１００は、スピーカ１１０、振動板１２０、ジャバラ１３０、スピーカボックス１４０、及び貼り付け板１５０を備えている。スピーカ装置１００では、振動板１２０、ジャバラ１３０、及び貼り付け板１５０がパッシブラジェータである。スピーカボックス１４０は、スピーカ１１０が取り付けられている面と反対の面が開口されている。振動板１２０は、スピーカ１１０の背面からの音圧により振動する。振動板１２０には、ジャバラ１３０が取り付けられている。ジャバラ１３０は、振動板１２０を保持しながらスピーカの背面からの音圧により伸縮する。ジャバラ１３０においては、振動板１２０が取り付けられている縁と反対の縁が、スピーカボックス１４０が開口されている面の縁に固定される。つまり、振動板１２０とジャバラ１３０がスピーカボックス１４０の開口されている面の蓋のようになることで、スピーカ１１０の背面に閉じられた空間が確保される。貼り付け板１５０は、スピーカ１１０の特性により振動板１２０の負荷（重量）を調整するものである。振動板１２０に異なる重量の貼り付け板１５０を付け替えることで、容易に振動板１２０の負荷（重量）を調整することができる。スピーカ装置１００では、ジャバラ１３０の伸縮可能な範囲が、振動板１２０のストロークに対応する。
【００１３】
このような構造のスピーカ装置１００において、スピーカボックス１４０には、スピーカ１１０が取り付けられるので強度や剛性が必要となる。また、振動板１２０とジャバラ１３０については、ポリエチレンなどの柔らかい材質で一体成形することが可能である。しかし、振動板１２０は、ある程度の剛性が必要であるので、プラスチック等の剛性のあるものを貼り付けるようにする。更に、振動板１２０の負荷（重量）に対応して貼り付け板１５０の重量を調整する。尚、貼り付け板１５０は、板状のものでなく例えば分銅のような円柱形などにすることも可能である。
【００１４】
スピーカ装置１００におけるジャバラ１３０とスピーカボックス１４０の結合について説明する。図２に、ジャバラ１３０とスピーカボックス１４０の結合構造を示す。図２に示すように、スピーカボックス１４０の円筒の外側にネジのような螺旋状の溝を設ける。また、ジャバラ１３０の円筒の内側にネジ穴のような螺旋状の溝を設ける。このような構造のスピーカボックス１４０を、矢印の方向に回転させながらジャバラ１３０の円筒にねじ込むようにして結合する。また、このような結合構造以外にも、例えば、ジャバラ１３０の円筒の外側にネジのような螺旋状の溝を設け、スピーカボックス１４０の円筒の内側にネジ穴のような螺旋状の溝を設けるような結合構造とすることも可能ある。更に、ジャバラ１３０の円筒とスピーカボックス１４０の円筒を接着材などで貼り付けるようにする結合構造、ネジで止めるようにする結合構造、又は一体で製造する結合構造なども可能である。
【００１５】
次に、スピーカ装置１００をＴＶ（テレビジョン）に取り付ける例について、図３を用いて説明する。図３（１）は、ＴＶ５に中高音出力用の小口径スピーカ装置１０を左右に取り付け、また中央に１台の低音出力用の大口径スピーカ装置２０を取り付ける例である。図３（２）は、ＴＶ１に中高音出力用の小口径スピーカ装置１０を左右に取り付け、小型の低音出力用のスピーカ装置１００をＴＶ１のスタンド２に取り付ける例である。図３（１）に示すように、ＴＶ５の本体に低音出力用の大口径スピーカ装置２０を取り付けているので、大口径スピーカ装置２０を収納するための大きなスペースがＴＶ５の本体に確保される。しかし、図３（２）に示すように、ＴＶ１のスタンド２に小型の低音出力用のスピーカ装置１００を取り付けることができる。このため、ＴＶ１の本体には２台の中高音出力用の小口径スピーカ装置１０のみを取り付けるので、大きなスペースをＴＶ１の本体に確保する必要がなくなる。
【００１６】
以上の実施形態１によれば、スピーカ装置１００にジャバラ１３０を用いることで、小容量のスピーカ装置１００でも振動板１２０のストロークを十分確保することができる。このように、振動板１２０のストロークが十分確保されるので、低音が良好に出力できる。また、振動板１２０とジャバラ１３０が一体で成形されることによって、スピーカ装置１００の組み立て作業を削減することができる。また、スピーカ１１０の特性が変更された場合でも、異なる重量の貼り付け板１５０を付け替えることで、振動板１２０の負荷（重量）を容易に調整することができる。更に、スピーカ装置１００は小型なので、スピーカ装置１００を取り付けるための大きなスペースを確保する必要がなくなる。
【００１７】
以下、本発明を実施するための第２の実施形態（以下、「実施形態２」という）を、図面を参照して説明する。
【００１８】
実施形態２におけるスピーカ装置２００の構造について説明する。図４に、スピーカ装置２００の断面を示す。スピーカ装置２００は、スピーカ２１０、左振動板２２０、右振動板２３０、左ジャバラ２４０、右ジャバラ２５０、及びスピーカボックス２６０を備えている。実施形態２のスピーカ装置２００は、左振動板２２０と左ジャバラ２４０が、右振動板２３０と右ジャバラ２５０に対向するように配置されている形態である。
【００１９】
スピーカ装置２００では、左振動板２２０、右振動板２３０、左ジャバラ２４０、及び右ジャバラ２５０がパッシブラジェータである。スピーカボックス２６０は、スピーカ２１０が取り付けられている面に対する左右の側面が開口されている。左ジャバラ２４０は、左振動板２２０が取り付けられている縁と反対の縁が、スピーカボックス２６０の左外側の開口部分に固定される。右ジャバラ２５０は、右振動板２３０が取り付けられている縁と反対の縁が、スピーカボックス２６０の右外側の開口部分に固定される。つまり、左振動板２２０、左ジャバラ２４０、右振動板２３０、右ジャバラ２５０、及びスピーカボックス２６０により、スピーカ２１０の背面と側面に閉じられた空間が確保される。この閉じられた空間により、スピーカ２１０の背面からの音圧がスピーカボックス２６０により左右に分散され、その分散された音圧が左振動板２２０を保持している左ジャバラ２４０を伸縮させ、また右振動板２３０を保持している右ジャバラ２５０を伸縮させる。スピーカ装置２００では、左ジャバラ２４０の伸縮可能な範囲が左振動板２２０のストロークに対応し、右ジャバラ２５０の伸縮可能な範囲が右振動板２３０のストロークに対応する。
【００２０】
次に、実施形態２の変形例１におけるスピーカ装置３００の構造について説明する。図５に、スピーカ装置３００の断面を示す。スピーカ装置３００は、スピーカ３１０、左振動板３２０、右振動板３３０、左ジャバラ３４０、右ジャバラ３５０、及びスピーカボックス３６０を備えている。実施形態２の変形例１のスピーカ装置３００は、スピーカ装置２００と同様に左振動板３２０と左ジャバラ３４０が、右振動板３３０と右ジャバラ３５０に対向するように配置されている形態である。しかし、スピーカ装置３００では、左振動板３２０と左ジャバラ３４０、及び右振動板３３０と右ジャバラ３５０が、スピーカボックス３６０の内側に配置されているので、スピーカボックス３６０で左ジャバラ３４０及び右ジャバラ３５０を保護することができる。
【００２１】
スピーカ装置３００では、左振動板３２０、右振動板３３０、左ジャバラ３４０、及び右ジャバラ３５０がパッシブラジェータである。スピーカボックス３６０は、スピーカ３１０が取り付けられている面に対する左右の側面が開口されている。左ジャバラ３４０は、左振動板３２０が取り付けられている縁と反対の縁が、スピーカボックス３６０の左内側の開口部分に固定される。右ジャバラ３５０は、右振動板３３０が取り付けられている縁と反対の縁が、スピーカボックス３６０の右内側の開口部分に固定される。つまり、左振動板３２０、左ジャバラ３４０、右振動板３３０、右ジャバラ３５０、及びスピーカボックス３６０により、スピーカ３１０の背面と側面に閉じられた空間が確保される。この閉じられた空間により、スピーカ３１０の背面からの音圧がスピーカボックス３６０により左右に分散され、その分散された音圧が左振動板３２０を保持している左ジャバラ３４０を伸縮させ、また右振動板３３０を保持している右ジャバラ３５０を伸縮させる。スピーカ装置３００では、左ジャバラ３４０の伸縮可能な範囲が左振動板３２０のストロークに対応し、右ジャバラ３５０の伸縮可能な範囲が右振動板３３０のストロークに対応する。
【００２２】
スピーカ装置２００における左ジャバラ２４０とスピーカボックス２６０の結合、及び右ジャバラ２５０とスピーカボックス２６０の結合は、図２に示すような片方の内側にネジ穴のような螺旋状の溝を設けもう一方をねじ込むようにする結合構造、接着材などで貼り付けるようにする結合構造、ネジで止めるようにする結合構造、又は一体で製造する結合構造などが可能である。同様に、スピーカ装置３００における左ジャバラ３４０とスピーカボックス３６０の結合、及び右ジャバラ３５０とスピーカボックス３６０の結合は、図２に示すような片方の内側にネジ穴のような螺旋状の溝を設けもう一方をねじ込むようにする結合構造、接着材などで貼り付けるようにする結合構造、ネジで止めるようにする結合構造、又は一体で製造する結合構造などが可能である。
【００２３】
次に、スピーカ装置２００をＴＶ（テレビジョン）に取り付ける例について、図６を用いて説明する。図６（１）は、ＴＶ６に全帯域の左チャンネル大口径スピーカ装置３０と、全帯域の右チャンネル大口径スピーカ装置４０とを取り付ける例である。図６（２）は、ＴＶ３に２台の中高音出力用の小口径スピーカ装置５０と、低音出力用のスピーカ装置２００とを取り付ける例である。図６（１）に示すように、ＴＶ６に全帯域の左チャンネル大口径スピーカ装置３０と全帯域の右チャンネル大口径スピーカ装置４０を取り付けているので、全帯域の左チャンネル大口径スピーカ装置３０と全帯域の右チャンネル大口径スピーカ装置４０を収納するための大きなスペースがＴＶ６の本体に確保される。しかし、図６（２）に示すように、ＴＶ３に２台の中高音出力用の小口径スピーカ装置５０を左右に取り付け、また小型の低音出力用のスピーカ装置２００を中央に取り付けることができる。このように、ＴＶ３の本体には２台の中高音出力用の小口径スピーカ装置５０と小型のスピーカ装置２００のみを取り付けるので、大きなスペースをＴＶ３の本体に確保する必要がない。また、図６（２）のスピーカ装置２００をスピーカ装置３００に置き換えてＴＶ３にスピーカ装置３００を取り付けた場合でも、大きなスペースをＴＶ３の本体に確保する必要がなくなる。スピーカ装置２００とスピーカ装置３００の違いは、スピーカ装置２００ではパッシブラジエータ部分が伸び縮みするため周辺とぶつかりやすいが、振動板面積はスピーカボックスの容量による制約がない。しかし、スピーカ装置３００は、ジャバラ部分がスピーカボックス内に隠れるため周辺とぶつかることを考慮する必要がないのでＴＶなどへの組み込みが容易であるが、スピーカボックスの容量により振動板面積やジャバラのストロークに制約がある。
【００２４】
以上の実施形態２によれば、スピーカ装置２００に左ジャバラ２４０と右ジャバラ２５０を用いることで、小容量のスピーカ装置２００でも左振動板２２０と右振動板２３０のストロークを十分確保することができる。このように、左振動板２２０と右振動板２３０のストロークが十分確保されるので、低音が良好に出力できる。また、左振動板２２０と左ジャバラ２４０、及び右振動板２３０と右ジャバラ２５０を一体で成形されることによって、スピーカ装置２００の組み立て作業を削減することができる。また、スピーカ装置３００では、左振動板２２０と左ジャバラ２４０、及び右振動板２３０と右ジャバラ２５０が、スピーカボックス３６０の内側に配置されるので、更にスピーカ装置の容量を小さくすることができる。更に、スピーカ装置２００及びスピーカ装置３００は小型なので、スピーカ装置２００及びスピーカ装置３００を取り付けるための大きなスペースを確保する必要がなくなる。
【００２５】
尚、実施形態２のスピーカ装置２００の左振動板２２０と右振動板２３０に貼り付け板を付けることで、左振動板２２０と右振動板２３０の負荷（重量）調整することができる。これにより、スピーカ装置２００のスピーカ２１０の特性が変更された場合でも、異なる重量の貼り付け板を付け替えることで、左振動板２２０と右振動板２３０の負荷（重量）を容易に調整することができる。同様に、実施形態２の変形例１であるスピーカ装置３００の左振動板３２０と右振動板３３０に貼り付け板を付けることで、左振動板３２０と右振動板３３０の負荷（重量）調整することができる。これにより、スピーカ装置３００のスピーカ３１０の特性が変更された場合でも、異なる重量の貼り付け板を付け替えることで、左振動板３２０と右振動板３３０の負荷（重量）を容易に調整することができる。
【００２６】
次に、実施形態２の変形例２におけるスピーカ装置２００ａの構造について説明する。図７に、スピーカ装置２００ａの断面を示す。スピーカ装置２００ａは、図４に示すスピーカ装置２００を縦型にする構造である。スピーカ装置２００ａは、スピーカ２１０、下振動板２２０ａ、上振動板２３０ａ、下ジャバラ２４０ａ、上ジャバラ２５０ａ、及びスピーカボックス２６０を備え、下振動板２２０ａと下ジャバラ２４０ａが、上振動板２３０ａと上ジャバラ２５０ａに対向するように配置されている形態である。下振動板２２０ａ、下ジャバラ２４０ａ、上振動板２３０ａ、上ジャバラ２５０ａは、図４に示すスピーカ装置２００の左振動板２２０、左ジャバラ２４０、右振動板２３０、右ジャバラ２５０に対応している。このスピーカ装置２００ａのようにジャバラを上下に配置する構造とすることで、下ジャバラ２４０ａと上ジャバラ２５０ａの振動により発生するスピーカ装置２００ａの中心軸のずれを、減少させることができる。
【００２７】
次に、実施形態２の変形例３におけるスピーカ装置２００ｂの構造について説明する。図８に、スピーカ装置２００ｂの断面を示す。スピーカ装置２００ｂは、スピーカ２１０、下振動板２２０ｂ、上振動板２３０ｂ、下ジャバラ２４０ｂ、上ジャバラ２５０ｂ、スピーカボックス２６０ｂ、下重り２７１、及び上重り２７２を備えている。実施形態２の変形例３のスピーカ装置２００ｂは、変形例２のスピーカ装置２００ａと同様に、下振動板２２０ｂと下ジャバラ２４０ｂが、上振動板２３０ｂと上ジャバラ２５０ｂに対向するように配置されている形態である。しかし、スピーカ装置２００ｂでは、上振動板２３０ｂと上ジャバラ２５０ｂが、スピーカボックス２６０ｂの内側に配置されている。また、下振動板２２０ｂの下側の面に下重り２７１が取り付けられ、上振動板２３０ｂの下側の面に上重り２７２が取り付けられている。このような構造とすることで、スピーカ装置２００ｂは、上重り２７１と下重り２７２により重心が中心軸の下方向となるので、下ジャバラ２４０ｂと上ジャバラ２５０ｂの振動により発生するスピーカ装置２００ｂの中心軸のずれを、更に減少させることができる。
【００２８】
次に、実施形態２の変形例４におけるスピーカ装置２００ｃの構造について説明する。図９（１）に、スピーカ装置２００ｃの断面を示す。スピーカ装置２００ｃは、スピーカ２１０、下振動板２２０ｃ、上振動板２３０ｃ、下ジャバラ２４０ｃ、上ジャバラ２５０ｃ、スピーカボックス２６０ｃ、下重り２８１、及び上重り２８２を備えている。実施形態２の変形例４のスピーカ装置２００ｃは、変形例２のスピーカ装置２００ａと同様に、下振動板２２０ｃと下ジャバラ２４０ｃが、上振動板２３０ｃと上ジャバラ２５０ｃに対向するように配置されている形態である。しかし、スピーカ装置２００ｃでは、下振動板２２０ｃの中央に円筒の空間が設けられ、その円筒の底部に下重り２８１が取り付けられている。また、上振動板２３０ｃの中央に円筒の空間が設けられ、その円筒の底部に上重り２８２が取り付けられている。図９（２）に、スピーカボックス２００ｃを斜め上側から見た構造を示す。スピーカボックス２００ｃの下重り２８１の位置は、下ジャバラ２４０ｃの先端位置より上方となるようにし、更にスピーカ装置２００ｃの中心軸に重心が集中するように下重り２８１の面積を小さくする。同様に、スピーカボックス２００ｃの上重り２８２の位置は、上ジャバラ２５０ｃの先端位置より下方となるようにし、更にスピーカ装置２００ｃの中心軸に重心が集中するように上重り２８２の面積を小さくする。このような構造とすることで、スピーカ装置２００ｃは、上重り２８１と下重り２８２により重心が中心軸の近くに集中するので、下ジャバラ２４０ｃと上ジャバラ２５０ｃの振動により発生するスピーカ装置２００ｃの中心軸のずれを、更に減少させることができる。
【００２９】
このような実施形態２における変形例２、変形例３、及び変形例４のように縦型の構造とすることで、図１０に示すようにＴＶ１のスタンド２に取り付けることができる。図１０は、ＴＶ１のスタンド２に変形例１のスピーカ装置２００ａを取り付けたときの例である。
【００３０】
以上の実施形態２の変形例２、変形例３、及び変形例４によれば、ジャバラを上下に配置する構造とすることで、上下のジャバラの振動により発生するスピーカ装置２００ａ、スピーカ装置２００ｂ、及びスピーカ装置２００ｃの中心軸のずれを、減少させることができる。更に、スピーカ装置２００ｂのように重りを取り付けることで、この重りにより重心が中心軸の下方向となるので、上下のジャバラの振動により発生するスピーカ装置２００ｂの中心軸のずれを、更に減少させることができる。また、スピーカ装置２００ｃのようにスピーカボックス２６０ｃに、下ジャバラ２４０ｃと上ジャバラ２５０ｃの先端位置より下方または上方となるように下重り２８１と上重り２８２を取り付ける構造とすることで、下重り２８１と上重り２８２により重心が中心軸の近くに集中するので、下ジャバラ２４０ｃと上ジャバラ２５０ｃの振動により発生するスピーカ装置２００ｃの中心軸のずれを、スピーカ装置２００ｂよりも更に減少させることができる。
【００３１】
以下、本発明を実施するための第３の実施形態（以下、「実施形態３」という）を、図面を参照して説明する。
【００３２】
実施形態３は、スピーカ装置１００におけるジャバラ１３０のストロークの可動範囲を変えることで、スピーカ装置１００が出力する低域の音圧の周波数特性の調整を行うものである。ジャバラ１３０のストロークの可動範囲を変更する方法について、図１１を用いて説明する。図１１（１）（ア）は、ジャバラ１３０にジャバラ固定具１６０を取り付ける前の状態である。図１１（１）（イ）は、ジャバラ１３０にジャバラ固定具１６０を取り付けた状態である。図１１（２）（ア）は、ジャバラ１３０にジャバラ固定具１６０を取り付けることで、ジャバラ１３０の可動範囲（ｄ１）を小さくした状態である。図１１（２）（イ）は、ジャバラ１３０からジャバラ固定具１６０を取り外すことで、ジャバラ１３０の可動範囲（ｄ２）を大きくした状態である。
【００３３】
図１１（１）（ア）に示すように、ジャバラ固定具１６０はリング１６１とリング１６２から構成され、一方のリング１６１の先端を、他方のリング１６２の先端にねじ込める構造とする。このような構造とすることで、リング１６１とリング１６２からなるジャバラ固定具１６０を、図１１（１）（イ）に示すようにジャバラ１３０に取り付けることができる。また、このような方法以外に、例えば、リング１６１の先端とリング１６２の先端とを貼り付けて固定する方法、又はネジで止めて固定する方法などがある。
【００３４】
このようなジャバラ固定具１６０を用いることで、ジャバラ１３０のストロークの可動範囲を調整することができる。例えば、音を出力するときに低音を小さくしたい場合は、図１１（２）（ア）に示すようにジャバラ１３０にジャバラ固定具１６０を取り付ける。このジャバラ固定具１６０を取り付けることで、ジャバラ１３０の可動範囲（ｄ１）が小さくなるので、低音が抑えられ小さくなる。また、音を出力するときに低音を大きくしたい場合は、図１１（２）（イ）に示すようにジャバラ１３０からジャバラ固定具１６０を取り外す。このようにジャバラ固定具１６０を取り外すことで、ジャバラ１３０の可動範囲（ｄ２）が大きくなるので、低音が抑えられず大きくなる。
【００３５】
以上、スピーカ装置１００におけるジャバラ１３０のストロークの可動範囲を調整する方法について説明したが、スピーカ装置２００の左ジャバラ２４０と右ジャバラ２５０、及びスピーカ装置３００の左ジャバラ３４０と右ジャバラ３５０についても同様に、ジャバラ固定具１６０の取り付けと取り外しを行うことでストロークの可動範囲を調整することができる。このようにジャバラ固定具１６０を用いることで、スピーカ装置２００とスピーカ装置３００においても、低音の大きさを調整することができる。
【００３６】
以上の実施形態３によれば、ジャバラ固定具１６０を用いることでジャバラのストロークの可動範囲を調整し、これにより低音の大きさの調整が可能となる。
【００３７】
尚、実施形態１、実施形態２、及び実施形態３において、ジャバラを円筒の形状体として説明したが、この円筒の形状体に限らず断面が楕円形、長方形、又は正方形などの柱状形状体（以下、柱状体という）にすることも可能である。また、スピーカボックスについても、断面が楕円形、長方形、又は正方形などのあらゆる柱状形状が可能である。また、スピーカボックスの一部を開口してその部分にジャバラを結合するも可能である。更に、スピーカボックスの複数箇所に複数のジャバラを結合させることも可能である。
【００３８】
このような本実施形態により、振動板のストロークを十分確保することで振動板の不要な振動を抑え、振動板の負荷（重量）を変更する場合でも振動板の付け替えを行うことなく容易に変更できる。また、スピーカ装置のサイズを小型化することができるので、ＴＶ（テレビジョン）に収納するときに、大きなスペースを確保する必要がない。更に、ジャバラのストロークの可動範囲を調整することで、低音の大きさを調整することができる。
【００３９】
以上、本発明の実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００４０】
１・・・・・・・・テレビジョン
２・・・・・・・・スタンド
３・・・・・・・・テレビジョン
５・・・・・・・・テレビジョン
６・・・・・・・・テレビジョン
１０・・・・・・・・中高音出力用の小口径スピーカ装置
２０・・・・・・・・低音出力用の大口径スピーカ装置
３０・・・・・・・・全帯域の左チャンネル大口径スピーカ装置
４０・・・・・・・・全帯域の右チャンネル大口径スピーカ装置
５０・・・・・・・・中高音出力用の小口径スピーカ装置
１００・・・・・・・・スピーカ装置
１１０・・・・・・・・スピーカ
１２０・・・・・・・・振動板
１３０・・・・・・・・ジャバラ
１４０・・・・・・・・スピーカボックス
１５０・・・・・・・・貼り付け板
１６０・・・・・・・・ジャバラ固定具
１６１・・・・・・・・リング
１６２・・・・・・・・リング
２００・・・・・・・・スピーカ装置
２００ａ・・・・・・・スピーカ装置
２００ｂ・・・・・・・スピーカ装置
２００ｃ・・・・・・・スピーカ装置
２１０・・・・・・・・スピーカ
２２０・・・・・・・・左振動板
２２０ａ・・・・・・・下振動板
２２０ｂ・・・・・・・下振動板
２２０ｃ・・・・・・・下振動板
２３０・・・・・・・・右振動板
２３０ａ・・・・・・・上振動板
２３０ｂ・・・・・・・上振動板
２３０ｃ・・・・・・・上振動板
２４０・・・・・・・・左ジャバラ
２４０ａ・・・・・・・下ジャバラ
２４０ｂ・・・・・・・下ジャバラ
２４０ｃ・・・・・・・下ジャバラ
２５０・・・・・・・・右ジャバラ
２５０ａ・・・・・・・上ジャバラ
２５０ｂ・・・・・・・上ジャバラ
２５０ｃ・・・・・・・上ジャバラ
２６０ａ・・・・・・・スピーカボックス
２６０ｂ・・・・・・・スピーカボックス
２６０c・・・・・・・スピーカボックス
２７１・・・・・・・・下重り
２７２・・・・・・・・上重り
２８１・・・・・・・・下重り
２８２・・・・・・・・上重り
３００・・・・・・・・スピーカ装置
３１０・・・・・・・・スピーカ
３２０・・・・・・・・左振動板
３３０・・・・・・・・右振動板
３４０・・・・・・・・左ジャバラ
３５０・・・・・・・・右ジャバラ
３６０・・・・・・・・スピーカボックス
５００・・・・・・・・スピーカ装置
５１０・・・・・・・・スピーカ
５２０・・・・・・・・振動板
５３０・・・・・・・・エッジ
５４０・・・・・・・・フレーム
５５０・・・・・・・・スピーカボックス
【図１】
2012239154.tif 000003
【図２】
2012239154.tif 000004
【図３】
2012239154.tif 000005
【図４】
2012239154.tif 000006
【図５】
2012239154.tif 000007
【図６】
2012239154.tif 000008
【図７】
2012239154.tif 000009
【図８】
2012239154.tif 000010
【図９】
2012239154.tif 000011
【図１０】
2012239154.tif 000012
【図１１】
2012239154.tif 000013
【図１２】
2012239154.tif 000014